(57)【要約】【課題】  被写体が希望する撮影条件を簡単に設定する。【解決手段】  ＩＤタグからＩＤデータを複数受信した場合（ステップ１００、１０２で肯定でかつステップ１０４で否定）、撮影条件が記憶された条件テーブルのＩＤデータを特定して表示し（ステップ１１４〜１１８）、選択入力の指示（ステップ１２０で肯定）がなされたＩＤデータを対象のＩＤデータとして定めて、そのＩＤデータの設定データを撮影条件に設定する（ステップ１２２）。これによって、複数のＩＤデータを受信したとき、受信したＩＤデータのうちの１つを選択可能とし、選択された１つのＩＤデータの撮影条件が自動的に設定される。従って、ユーザの意図を反映した撮影条件を容易に設定することが可能となる。【選択図】  図４
2006094064.tif 000002
【特許請求の範囲】
【請求項１】
被写体を識別するためのＩＤ情報を複数受信する受信手段と、
前記ＩＤ情報と撮影に関する装置本体の設定及び処理の設定の少なくとも一方を表す撮影条件との対応関係を記憶する記憶手段と、
前記記憶手段に記憶された対応関係に基づいて、前記受信手段で受信した複数の前記ＩＤ情報から１つのＩＤ情報を選択し、選択したＩＤ情報に対応する撮影条件を決定し、決定した撮影条件を装置本体及び処理に設定する設定手段と、
を備えた撮影装置。
【請求項２】
前記設定手段は前記ＩＤ情報を複数表示する表示手段と、表示された複数のＩＤ情報のうち何れか一つを指示する入力手段とを含むことを特徴とする請求項１に記載の撮影装置。
【請求項３】
前記記憶手段は、複数の前記ＩＤ情報の各々に優先度をさらに対応させて記憶し、前記設定手段は、前記記憶手段に記憶したＩＤ情報毎の優先度に基づいて、１つのＩＤ情報を選択することを特徴とする請求項１または２に記載の撮影装置。
【請求項４】
撮影により得られる画像データを格納すると共に、前記記憶手段に記憶されたＩＤ情報毎の個別領域が設けられた格納手段と、
撮影終了時に、ＩＤ情報に基づいて、前記画像データを、対応する個別領域に格納する制御手段と、
をさらに備えたことを特徴とする請求項１乃至請求項３の何れか１項に記載の撮影装置。
【発明の詳細な説明】
【技術分野】
【０００１】
本発明は、撮影装置に係り、特に、ＣＣＤ等の撮像素子によって被写体を撮影し、撮影によって得られたアナログの画像信号をデジタルの画像データに変換した後に、スマートメディア（Ｒ）等の情報記憶媒体に記憶させる撮影装置に関する。
【背景技術】
【０００２】
ＣＣＤ等の撮像素子によって被写体を撮影し、撮影によって得られたアナログの画像信号をデジタルの画像データに変換した後に、スマートメディア（Ｒ）等の情報記憶媒体に記憶させる構成のデジタルスチルカメラ（以下、ＤＳＣと略す）は、撮影した画像をその場で表示装置に表示させることで、撮影結果をその場で確認できるという特徴があり、近年急速に普及してきている。
【０００３】
一般にＤＳＣは、撮影条件、例えば、絞り、シャッター速度、ストロボ発光等を設定でき、ユーザは撮影条件を調整し、撮影を行うことができる。また、近年のＤＳＣは、技術発展に伴って、撮影画像に対して画像処理を施すことが可能な機能を有するものもある。このような画像処理機能を撮影条件に付加する場合もある。
【０００４】
撮影条件は、撮影場所、時刻、天気など撮影シーンにより異なり、一意に決定できない。特に、被写体が人物である場合、被写体の希望を含むことも有るため、簡単に決定できない場合が多い。
【０００５】
そこで、被写体側に被写体を識別するための通信器を設け、ＤＳＣで受信した情報に基づいて撮影条件を調整することで、被写体の撮影条件にあった撮影を自動的に行えるＤＳＣが提案されている（例えば、特許文献１を参照）。
【０００６】
また、関連技術として、無線の送受信に関しては、物流の現場で品物に無線タグを添付し、物品に関する各種情報をその無線タグから読み取り、表示することを可能にした装置がある（例えば、特許文献２を参照）。
【特許文献１】特開２００４−６４３８５号公報
【特許文献２】特開２００２−２３６８９１号公報
【発明の開示】
【発明が解決しようとする課題】
【０００７】
しかしながら、撮影シーンは、被写体とＤＳＣとが１対１であるとは限らない。例えば、集合写真撮影のように、複数の人物が被写体である場合には、各人物が通信器や無線タグを有してＤＳＣへ情報が提供される。ところがＤＳＣは、複数の情報をどのように処理すべきか判断をすることができない。
【０００８】
本発明は、上記事実を考慮したもので、被写体が希望する撮影条件を簡単に設定することができる撮影装置を提供することを目的とする。
【課題を解決するための手段】
【０００９】
上記目的を達成するために、本発明の撮影装置は、被写体を識別するためのＩＤ情報を複数受信する受信手段と、前記ＩＤ情報と撮影に関する装置本体の設定及び処理の設定の少なくとも一方を表す撮影条件との対応関係を記憶する記憶手段と、前記記憶手段に記憶された対応関係に基づいて、前記受信手段で受信した複数の前記ＩＤ情報から１つのＩＤ情報を選択し、選択したＩＤ情報に対応する撮影条件を決定し、決定した撮影条件を装置本体及び処理に設定する設定手段と、を備えている。
【００１０】
本発明の撮影装置は、受信手段によって被写体を識別するためのＩＤ情報を複数受信する。ＩＤ情報の受信時期は、撮影直前、またはそれ以前が好ましい。複数のＩＤ情報を受信すると、設定手段は、記憶手段に記憶された対応関係に基づいて、１つのＩＤ情報を選択する。記憶手段には、ＩＤ情報と撮影条件との対応関係が記憶されており、受信したＩＤ情報が記憶手段に記憶されていることを参照することで、選択可能となる。対応するＩＤ情報が複数記憶されているとき、何れか１つを選択する。また、設定手段は、選択したＩＤ情報に対応する撮影条件を、装置本体で用いる撮影条件に決定する。この決定した撮影条件を装置本体の設定、及び装置本体内部処理の設定に反映させる。すなわち、撮影条件には装置本体の設定と処理の設定がある。装置本体の設定には、撮影画像の表示の有無など、機構的な動作の設定が一例としてある。また、処理の設定には、エッヂ強調など、撮影画像（画像データ）に対する画像処理を施すか否か（強度などを含む）の設定が一例としてある。
【００１１】
従って、複数のＩＤ情報を受信した場合、１つのＩＤ情報を選択して、そのＩＤ情報に対応する撮影条件を設定する。これによって、撮影装置では、簡単に、被写体側の意図を反映した撮影を行うことができる。
【００１２】
請求項２に記載の発明は請求項１に記載の撮影装置において、前記設定手段は前記ＩＤ情報を複数表示する表示手段と、表示された複数のＩＤ情報のうち何れか１つを指示する入力手段とを含むことを特徴とする。
【００１３】
複数のＩＤ情報から１つのＩＤ情報を選択する場合、撮影装置を操作するユーザが容易に把握できることが好ましい。そこで本発明では、表示手段に複数のＩＤ情報を表示し、入力手段によって何れか１つのＩＤ情報を指示可能とする構成にしている。これによって、ユーザは表示された複数のＩＤ情報を参照しつつ、何れか１つを選択することで、被写体側の意図を反映した撮影を容易に行うことができる。
【００１４】
請求項３に記載の発明は、請求項１または２に記載の撮影装置において、前記記憶手段は、複数の前記ＩＤ情報の各々に優先度をさらに対応させて記憶し、前記設定手段は、前記記憶手段に記憶したＩＤ情報毎の優先度に基づいて、１つのＩＤ情報を選択することを特徴とする。
【００１５】
複数のＩＤ情報から１つのＩＤ情報を選択する場合、撮影装置側で自動的に選択することにより、撮影時にユーザの負担は軽減する。そこで、本発明では、記憶手段にＩＤ情報各々に、優先度を対応させて記憶する。設定手段は、その優先度により一つのＩＤ情報を選択する。例えば値が高いほど選択されやすくなるように、優先度を各ＩＤ情報に、一意の（全て異なる）値を設定する。このように設定することで複数のＩＤ情報から１つのＩＤ情報を自動的に選択することができる。
【００１６】
請求項４に記載の発明は、請求項１乃至請求項３の何れか１項に記載の撮影装置において、撮影により得られる画像データを格納すると共に、前記記憶手段に記憶されたＩＤ情報毎の個別領域が設けられた格納手段と、撮影終了時に、ＩＤ情報に基づいて、前記画像データを、対応する個別領域に格納する制御手段とをさらに備えたことを特徴とする。
【００１７】
前記のようにしてＩＤ情報に対応する撮影条件によって撮影した撮影画像の画像データは撮影装置本体、または記録媒体に保存される。本発明では、ＩＤ情報毎の個別領域が設けられた格納手段をさらに設ける。制御手段は、撮影終了時に、前記選択したＩＤ情報の個別領域に画像データを格納する。従って、個別領域には、同一の撮影条件が設定されて撮影された撮影画像の画像データが格納される。これにより、ＩＤ情報に対応するユーザが、関係する画像データを取り出したり特定したりすることが容易となる。
【発明の効果】
【００１８】
以上説明したように、本発明の撮影装置によれば、複数の被写体からの複数のＩＤ情報を受信した場合であっても、１つの撮影条件を設定することができ、被写体側の意図を反映した撮影を容易に行うことができる、という効果がある。
【発明を実施するための最良の形態】
【００１９】
以下、図面を参照して本発明の実施の一例を詳細に説明する。
【００２０】
〔第１実施の形態〕
本実施の形態のデジタルカメラ１０は、図１に示すように、筐体１２を備え、前面にレンズ１４、上面にレリーズボタン１６を備える。また、筐体１２の背面には液晶ディスプレイ（以下「ＬＤＣ」という）１８、電源ＳＷ２４、及び、その他各種の入力を行うための複数の入力キー２６を備えている。また、デジタルカメラ１０の内部にはＩＤタグ受信部２２が設けられている。
【００２１】
このＩＤタグ受信部２２は、被写体が所持するＩＤタグ２０からのＩＤデータを受信するためのものである。このＩＤタグ２０には、被写体となるべき人物を識別するためのＩＤデータ（例えばユーザＩＤを表す番号）が記録されており、無線通信によりそのＩＤデータを、ＩＤタグ受信部２２が受信する構成とされている。
【００２２】
また、本実施の形態では、レリーズボタン１６の押下状態として押下量が少量の半押状態である状態Ｓ１と、押下量が多量の全押状態である状態Ｓ２の少なくとも２段階の押圧状態が設定されている。また、デジタルカメラ１０はＡＥ（Automatic  Exposure、自動露出）機能による露出状態（シャッタースピード、絞りの状態）の設定、ＡＦ（Auto  Focus、自動合焦）機能による合焦状態の設定、撮影画像の画像データを画像処理する機能の設定が可能とされ、これらの機能設定を撮影条件として定めることができる構成となっている。
【００２３】
図２にデジタルカメラ１０の制御系の概略ブロック図を示す。デジタルカメラ１０には、レンズ１４を通過する光量を調節する絞り３２、光の通過時間を調整するシャッタ３４、及び、光を光電交換してアナログ画像信号を出力するＣＣＤ３６が備えられている。
【００２４】
ＣＣＤ３６はアナログ信号処理部３８と接続され、アナログ信号処理部３８はアナログ／デジタル変換機（以下、「Ａ／Ｄ変換機」という）４０と接続され、Ａ／Ｄ変換機４０はデジタル信号処理部４２と接続されている。アナログ信号処理部３８は、ＣＣＤ３６から入力された信号に対して所定のアナログ信号処理を施す。Ａ／Ｄ変換機４０は、アナログ信号処理部３８から入力されたアナログ信号をデジタル信号に変換してデジタル信号処理部４２へ出力する。デジタル信号処理部４２は、入力されたデジタル信号に対して各種の処理を行い、デジタル画像データを生成する。
【００２５】
デジタルカメラ１０には、ＣＰＵ５０、内部メモリ５２、表示制御部５４、記録制御部５６が備えられている。前述のデジタル信号処理部４２、ＣＰＵ５０、内部メモリ５２、表示制御部５４、記録制御部５６はバス５９を介して相互に接続されている。
【００２６】
ＣＰＵ５０は各種のプログラムを実行するなどしてデジタルカメラ１０全体の制御を行う。ＣＰＵ５０は、電源ＳＷ２４、入力キー２６、レリーズボタン１６、と接続されており、これらの各部から各種の指示が入力され、対応する処理ルーチンが実行される。
【００２７】
内部メモリ５２にはデジタル信号処理部４２で生成されたデジタル画像データ、デジタルカメラ１０の制御用の各種プログラムが記憶されている。また、内部メモリ５２には、設定データメモリ領域５２Ａと、画像データ格納領域５２Ｂと、撮影条件を一時的に記憶する条件記憶領域５２Ｃとが設けられている（詳細は後述）。記録制御部５６は外部メモリ６０と接続可能とされており、外部メモリ６０へデジタル画像データを書き込む処理、及び、外部メモリ６０からデジタル画像データを読み出す処理を実行可能とされている。表示制御部５４はＬＣＤ１８と接続されており、ＬＣＤ１８へ画像等を表示するための所定の処理を行う。
【００２８】
さらに、デジタルカメラ１０には、レンズ１４を駆動させるためのレンズ駆動部６２、絞り３２を駆動させるための絞り駆動部６４、シャッタ３４を駆動させるためのシャッタ制御部５６、及び、ＣＣＤ３６に対する撮影時のタイミング制御を行うＣＣＤ制御部５８が備えられている。レンズ駆動部６２、絞り駆動部６４、シャッタ駆動部５６、及び、ＣＣＤ制御部５８は、ＣＰＵ５０に接続されている。
【００２９】
内部メモリ５２に設けられた設定データメモリ領域５２Ａは、ユーザ毎の撮影条件を記憶する条件テーブル７０（図３）を格納するための記憶領域である。本実施の形態では、詳細を後述するように、被写体として人物がＩＤタグ２０を有する場合、そのＩＤタグ２０からのＩＤデータにより撮影条件を設定することが可能となっている。このＩＤデータと撮影条件との対応関係が条件テーブル７０として設定データメモリ領域５２Ａに予め格納されている。
【００３０】
図３に示すように、条件テーブル７０は、ＩＤデータ、設定データ、及び保存先の３つのフィールドから１つのレコードを構成しており、複数のＩＤデータを記憶している。「ＩＤデータ」は、人物を識別するために個別に予め設定されたものであり、ＩＤタグ２０に記録されたデータと同一である。また、「設定データ」は、デジタルカメラ１０に設定可能な撮影条件である。すなわち、設定データには、ＡＥ機能による露出状態の設定である例えばシャッタースピードや絞りの設定、ＡＦ機能による合焦状態の設定である例えばソフトフォーカスの設定、撮影画像の画像データを画像処理する機能の設定である例えばエッヂ強調などの画像処理の設定を表す設定値が格納される。
【００３１】
「保存先」は、ＩＤデータに対応して設定された撮影条件の下で撮影された撮影画像の画像データを保存する保存先を表すものであり、ＩＤデータに対応する設定データを条件テーブル７０に登録するときに登録される。本実施の形態では、内部メモリ５２に画像データ格納領域５２Ｂを設けており、画像データ格納領域５２Ｂ内に条件テーブル７０のＩＤデータに対応する記録領域（所謂フォルダ）が設定される。
【００３２】
また、内部メモリ５２に設けられた条件記憶領域５２Ｃは、撮影条件を一時的に記憶するものであり、ユーザの設定による設定値、後述するＩＤデータに応じた設定、または初期値が格納される。電源投入時には、初期値が格納される。
【００３３】
なお、図示は省略したが、条件テーブル７０に登録するＩＤデータには、そのＩＤデータを所有する人物を識別するためのサムネイル画像が連携して記憶される。
【００３４】
上記の本実施の形態のデジタルカメラ１０は、本発明の撮影装置に対応する。また、ＩＤタグ受信部２２は本発明の受信手段に対応し、内部メモリ５２は本発明の記憶手段に対応する。
【００３５】
次に、本実施形態の作用について説明する。
【００３６】
ユーザがデジタルカメラ１０で被写体を撮影する際には、まず、電源ＳＷ２４の押圧により、デジタルカメラ１０の電源がオンされる。この電源オンにより、ＣＰＵ５０からレンズ駆動部６２へレンズ駆動の指示がなされ、レンズ１４が筐体１２の外側へ突出される。
【００３７】
また、ＣＰＵ５０からＣＣＤ制御部５８へＣＣＤ制御の指示がなされ、ＣＣＤ３６は所定のタイミングで被写体光を電気信号に変換（光電変換）し、得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成される。
【００３８】
画像の取り込みによって得られたデジタル画像データは、内部メモリ５２に記憶され、さらに、表示制御部５４へ出力され、表示制御部５４により所定の処理が行われて、デジタル画像データに基づく画像がＬＣＤ１８に表示される。
【００３９】
そして、レリーズボタンが押下（状態Ｓ２）されると、撮影処理（図５）が実行される。まず、ステップ１００でＡＥ処理が行われ、ステップ１０２でＡＦ処理が行われる。そしてステップ１０４で撮像処理が行われ、画像が取り込まれる。その後ステップ１０６でデータ記録処理が行われる。これによって、デジタルカメラ１０で撮影されたシーンの画像データが外部メモリ６０や、内部メモリ５２に記憶される。
【００４０】
本実施の形態では、撮影処理前に、被写体が所持したＩＤタグ２０からの信号を受信して撮影条件を設定する。この設定された撮影条件に応じて上記撮影処理が実行される。
【００４１】
すなわち、デジタルカメラ１０の電源がオンされると、図４に示す撮影条件設定処理ルーチンが所定時間毎に実行される。まず、ステップ１００では、レリーズボタン１６が状態Ｓ１であるか否かを判別することによって、レリーズボタン１６が半押しされたか否かを判断する。ステップ１００で否定されるとそのまま本ルーチンを終了し、肯定されるとステップ１０２へ進む。ステップ１０２では、ＩＤタグ受信部２２においてＩＤタグ２０からのＩＤデータを受信した否かを判断する。ステップ１０２で否定されるとステップ１１２において一定時間を経過したか否かを判断する。ステップ１１２で否定された場合はステップ１０２へ戻り、肯定された場合はデジタルカメラ１０の周囲にＩＤタグ２０を所持したユーザが存在しないため、そのまま本ルーチンを終了する。
【００４２】
ＩＤデータを受信し、ステップ１０２で肯定されるとステップ１０４において、受信したＩＤデータが単数か否かを判断する。１つのＩＤデータを受信した場合は、ステップ１０４で肯定され、ステップ１０６へ進む。ステップ１０６は、登録済みのＩＤデータ検索処理である。この処理は、受信したＩＤデータについて条件テーブル７０すなわち内部メモリ５２の設定データメモリ領域５２Ａに格納されている条件テーブル７０のＩＤデータを検索する。
【００４３】
ＩＤデータ検索処理の結果、受信したＩＤデータが条件テーブル７０に非登録の場合は撮影条件が登録されていないので、ステップ１０８で否定されてそのまま本ルーチンを終了する。一方、受信したＩＤデータが条件テーブル７０に登録済みの場合はステップ１０８で肯定され、ステップ１１０へ進む。ステップ１１０では、ステップ１０６の検索結果であるＩＤデータについて、条件テーブル７０の設定データ・フィールドから設定データを読み取って、撮影条件に設定する。すなわち、設定データの該当部分の値を条件記憶領域５２Ｃに格納する。
【００４４】
これによって、ＩＤタグ２０からＩＤデータを１つ受信したとき、対応するＩＤデータが条件テーブル７０に登録されている場合には、受信したＩＤデータに対応する撮影条件が自動的に設定される。一方、対応するＩＤデータが条件テーブル７０に非登録の場合には、初期値の撮影条件またはユーザが事前に設定した撮影条件が用いられる。
【００４５】
受信したＩＤデータが複数の場合、ステップ１０４で否定されてステップ１１４へ進む。ステップ１１４では、上記ステップ１０６の処理と同様にして、受信した複数のＩＤデータの各々について条件テーブル７０すなわち内部メモリ５２の設定データメモリ領域５２Ａに格納されている条件テーブル７０のＩＤデータを検索する。
【００４６】
次のステップ１１６では、受信した複数のＩＤデータに対応する上記ステップ１１４の検索結果によるＩＤデータを後述する選択の対象となるＩＤデータとして特定し、次のステップ１１８においてＬＣＤ１８に表示する。
【００４７】
なお、ステップ１１６では、受信した複数のＩＤデータに対応するＩＤデータの全てが登録済みの場合、それらの全てを選択対象のＩＤデータとして特定してもよく、その一部すなわち予め定めた個数のＩＤデータを選択対象のＩＤデータとして特定してもよい。
【００４８】
また、受信した複数のＩＤデータの一部のＩＤデータのみが登録済みの場合、登録済みの全てを選択対象のＩＤデータとして特定してもよく、その一部（所定数）のＩＤデータを選択対象のＩＤデータとして特定してもよい。さらに、受信した複数のＩＤデータ以外のＩＤデータすなわち非受信のＩＤデータを予め定めた条件で選択対象のＩＤデータとして特定してもよい。この予め定めた条件には、デジタルカメラ１０を周遊するユーザが選択対象とするべくＩＤデータを予め設定しそのＩＤデータを特定することが一例としてある。
【００４９】
図５は、上記ステップ１１８の処理結果として、ＬＣＤ１８の表示画面８０を示したものである。表示画面８０は、撮影シーンを表示するシーン表示領域８２と、選択可能に表示されるＩＤデータ表示領域８４とが分離線８３を介して設けられている。図５の例では、被写体として、人物Ｐ１，Ｐ２，Ｐ３が撮影対象であり、各々ＩＤタグ２０を所持している。
【００５０】
一方、ＩＤデータ表示領域８４は、人物を識別するためのサムネイル画像表示領域８６と、ＩＤデータ表示領域８８とから構成されている。また、図５の例は、４つのＩＤデータを表示可能な形態を示している。図では、人物Ｐ１，Ｐ２，Ｐ３に対応するＩＤデータが検索結果として得られる場合に、デジタルカメラ１０の所有者が予め定めた自己のＩＤデータを表示させる場合を示した。すなわち、人物Ｐ１はＩＤデータ「ＩＤ００１」に対応し、人物Ｐ２はＩＤデータ「ＩＤ００２」に対応し、人物Ｐ３はＩＤデータ「ＩＤ００３」に対応し、所有者はＩＤデータ「ＩＤ００４」に対応する。これら「ＩＤ００１」〜「ＩＤ００４」の領域は、入力キー２６により選択指示が可能とされている。
【００５１】
上述のようにステップ１１８でＬＣＤ１８に表示された表示画面８０を参照することで、ＩＤデータを選択指示が可能となる。そこで、次のステップ１２０では、入力キー２６の操作を判別することにより、ＩＤデータが選択入力されるまで否定判断を繰り返す。ＩＤデータが選択入力されると、ステップ１２０で肯定されてステップ１２２において、上記ステップ１１０と同様に、ステップ１２０で選択入力されたＩＤデータについて、条件テーブル７０の設定データ・フィールドから設定データを読み取って、撮影条件に設定する。すなわち、設定データの該当部分の値を条件記憶領域５２Ｃに格納する。
【００５２】
これによって、ＩＤタグ２０から複数のＩＤデータを受信したとき、対応する複数のＩＤデータが条件テーブル７０に登録されている場合、受信したＩＤデータに対応するＩＤデータから任意のＩＤデータを選択入力でき、選択入力された１つのＩＤデータの撮影条件が自動的に設定される。一方、対応するＩＤデータが条件テーブル７０に非登録の場合であっても、複数のＩＤデータから対象とするＩＤデータを選択することができるので、ユーザの意図を反映した撮影条件を容易に設定することが可能となる。なお、対応するＩＤデータが条件テーブル７０に非登録の場合、初期値の撮影条件またはユーザが事前に設定した撮影条件を用いるようにしてもよい。
【００５３】
上記のステップ１１４乃至ステップ１２２の処理のうち、選択入力により１つのＩＤデータを特定すること、そのＩＤデータの撮影条件を設定することは、本発明の設定手段の機能に対応する。また、このときのＬＣＤ１８は本発明の表示手段に対応し、入力キー２６は本発明の入力手段に対応する。
【００５４】
以上のようにして撮影条件が設定された状態で、レリーズボタン１６が押下（状態Ｓ２の全押し）されると、図６に示す撮影処理が実行される。まず、ステップ１００にといて、内部メモリ５２の条件記憶領域５２Ｃから撮影条件を読み取る。これにより、以下の各種処理は、読み取った撮影条件に従ってなされる。次のステップ１３２では、ＡＥ処理が行われ、次のステップ１３４においてＡＦ処理が行われる。これらＡＥ処理及びＡＦ処理に関する撮影条件が設定されている場合には、設定された撮影条件に従って処理される。
【００５５】
ＡＥ処理及びＡＦ処理の終了後のステップ１３６では、撮像処理が行われ、画像が取り込まれ、その撮影画像の画像データが取得される。次のステップ１３８では、上記ステップ１３６で取得した画像データに対する画像処理が行われる。この画像処理では、本来デジタルカメラ１０で処理すべき必須の画像処理に加えて、撮影条件に画像処理要求が設定されている場合には、設定された撮影条件に従った画像処理がなされる。
【００５６】
次のステップ１４０では、上記ステップ１３８で画像処理された画像データを内部メモリ５２または６０に格納することによりデータ保存処理が実行される。このデータ保存処理では、条件記憶領域５２Ｃに格納されて読み取られた撮影条件が反映される。すなわち、条件テーブル７０には、ＩＤデータに対応して保存先が記憶されている。従って、ステップ１４０では、撮影条件に登録されている保存先、例えば画像データ格納領域５２Ｂの何れかのフォルダに画像データが格納される。これによって、デジタルカメラ１０で撮影されたシーンの画像データが、ＩＤデータによる撮影条件に登録された格納先の内部メモリ５０や外部メモリ６０に記憶される。
【００５７】
次のステップ１４２では、格納した画像データを確認のために、ＬＣＤ１８へ表示して本ルーチンを終了する。
【００５８】
本実施の形態における条件テーブル７２を格納する設定データメモリ領域５２Ａは、本発明の格納手段に相当する。また、本実施の形態におけるステップ１４０の処理は、本発明の制御手段の機能に対応する。
【００５９】
このように、本実施の形態では、デジタルカメラ１０の撮影条件を設定するにあたって、被写体からのＩＤデータを受信して、設定している。このときに、複数のＩＤデータを受信した場合であっても、何れか１つを選択入力することによって特定することができるので、ユーザの意図を反映させた撮影条件を簡単に設定することができる。
【００６０】
〔第２実施の形態〕
上記実施の形態では、複数のＩＤデータを受信した場合、デジタルカメラ１０の操作者（ユーザ）がＬＣＤ１８を参照しつつ選択入力することによって、１つのＩＤデータの撮影条件を設定した。しかし、撮影時のユーザに逐次選択入力を要求することは、ユーザにとって操作の煩雑さをまねくこととなる。そこで、本実施の形態では、ユーザに選択入力することを要求することなく、自動的に撮影条件を設定することを可能にしたものである。なお、本実施の形態は、上記実施の形態とほぼ同様の構成のため、同一部分には同一符号を付して詳細な説明を省略する。
【００６１】
本実施の形態では、図３に示す条件テーブル７０に代えて、図７に示す条件テーブル７２を設定データメモリ領域５２Ａに記憶して用いる。条件テーブル７０と条件テーブル７２との差異は、条件テーブル７０に優先度を格納するフィールドを追加したことである。
【００６２】
条件テーブル７２に含む「優先度」は、複数のＩＤデータに対して採用する順序を設定した優先順位を表すものであり、ＩＤデータに対応する設定データを条件テーブル７０に登録するときに登録される。この優先度は、複数のＩＤデータ間で干渉しないように異なる値が設定されることが好ましい。また、同一の優先度のＩＤデータが存在するとき、登録順位や登録時間などの他の順序設定条件でさらに優先度を設定することで対処するようにしてもよい。
【００６３】
次に、本実施の形態の作用を説明する。本実施の形態では、撮影処理前に複数のＩＤタグ２０から複数の信号を受信したときに１つのＩＤデータを自動的に特定して撮影条件を設定するものである。
【００６４】
すなわち、デジタルカメラ１０の電源がオンされると、図８に示す撮影条件設定処理ルーチンが所定時間毎に実行される。図４の処理と同様にレリーズボタン１６が状態Ｓ１でＩＤタグ２０からのＩＤデータを複数受信した場合（ステップ１００、１０２で肯定でかつステップ１０４で否定）、ステップ１１４に進む。
【００６５】
ステップ１１４では、受信した複数のＩＤデータの各々について条件テーブル７２すなわち内部メモリ５２の設定データメモリ領域５２Ａに格納されている条件テーブル７２のＩＤデータを検索する。次のステップ１１６では、受信した複数のＩＤデータに対応する上記ステップ１１４の検索結果によるＩＤデータを後述する選択の対象となるＩＤデータとして特定する。
【００６６】
次のステップ１５０では、登録されているＩＤデータが単数であるか否かを判断し、肯定された場合には、該当するＩＤデータを対象のＩＤデータとしてステップ１１０において設定データを撮影条件に設定する。一方、検索結果のＩＤデータが複数存在するとき、ステップ１５０で否定され、ステップ１５２において、検索結果の複数のＩＤデータについて条件テーブル７２の優先度フィールドを参照し、優先度が最も高いＩＤデータを対象のＩＤデータとして選択する。次のステップ１５４では、上記ステップ１２２と同様に、ステップ１５２で選択されたＩＤデータについて、条件テーブル７２の設定データ・フィールドから設定データを読み取って、撮影条件に設定する。すなわち、設定データの該当部分の値を条件記憶領域５２Ｃに格納する。
【００６７】
これによって、ＩＤタグ２０から複数のＩＤデータを受信したとき、対応する複数のＩＤデータが条件テーブル７２に登録されている場合、受信したＩＤデータに対応するＩＤデータの優先度から１つのＩＤデータを自動的に選択でき、選択された１つのＩＤデータの撮影条件が自動的に設定される。従って、ユーザの操作に対して煩わしさを増大させることなく、意図を反映した撮影条件を容易に設定することが可能となる。
【００６８】
このように、本実施の形態では、デジタルカメラ１０の撮影条件を設定するにあたって、被写体からのＩＤデータを受信して、設定している。このときに、複数のＩＤデータを受信した場合であっても、何れか１つを自動的に選択することによって特定することができるので、ユーザの意図を反映させた撮影条件を簡単に設定することができる。
【図面の簡単な説明】
【００６９】
【図１】本発明の実施の形態にかかるデジタルカメラで撮影するときの撮影条件設定の説明図である。
【図２】デジタルカメラの制御系の概略ブロック図である。
【図３】第１実施の形態の条件テーブルを示す概念図である。
【図４】第１実施の形態の撮影条件設定処理の流れを示すフローチャートである。
【図５】ＩＤデータを選択入力するにあたっての選択画面を示すイメージ図である。
【図６】撮影処理の流れを示すフローチャートである。
【図７】第２実施の形態の条件テーブルを示す概念図である。
【図８】第２実施の形態の撮影条件設定処理の流れを示すフローチャートである。
【符号の説明】
【００７０】
１０  デジタルカメラ
１８  ＬＣＤ
２０  ＩＤタグ
２２  ＩＤタグ受信部
２６  入力キー
５２Ａ  設定データメモリ
５２Ｂ  画像データ格納領域
５２Ｃ  条件記憶領域
【図１】
2006094064.tif 000003
【図２】
2006094064.tif 000004
【図３】
2006094064.tif 000005
【図４】
2006094064.tif 000006
【図５】
2006094064.tif 000007
【図６】
2006094064.tif 000008
【図７】
2006094064.tif 000009
【図８】
2006094064.tif 000010